(57)【要約】本願の実施例は、ケーブルバックボード、ケーブルボックスおよびケーブルアセンブリを開示し、前記ケーブルバックボードは、サブラックに取り付けるために用いられ、少なくとも１つのケーブルボックスを備え、前記ケーブルボックスは、ボックス本体と、少なくとも１つのケーブルアセンブリとを備え、前記ケーブルアセンブリは、少なくとも２つの電気コネクタと、少なくとも１本のケーブルとを備え、前記電気コネクタは前記ボックス本体に固定され、前記ケーブルは前記ボックス本体の内部に設けられ、前記少なくとも２つの電気コネクタは、前記ケーブルを介して相互接続され、前記電気コネクタおよびケーブルにより、サブラックにおける複数のシングルボード間の相互接続を実現する。【選択図】図１
2021508126.tif 000002
【特許請求の範囲】
【請求項１】
サブラックに取り付け可能なケーブルバックボードであって、少なくとも１つのケーブルボックスを備え、前記ケーブルボックスは、ボックス本体と、少なくとも１つのケーブルアセンブリとを備え、前記ケーブルアセンブリは、少なくとも２つの電気コネクタと、少なくとも１本のケーブルとを備え、前記電気コネクタは前記ボックス本体に固定され、前記ケーブルは前記ボックス本体の内部に設けられ、前記少なくとも２つの電気コネクタは、前記ケーブルを介して相互接続され、前記電気コネクタおよびケーブルにより、サブラックにおける複数のシングルボード間の相互接続を実現する、ケーブルバックボード。
【請求項２】
前記ケーブルボックスを固定するための少なくとも１つの構造固定部材を更に備える、請求項１に記載のケーブルバックボード。
【請求項３】
前記電気コネクタの正面がシングルボードに接続するために用いられ、背面が１本または複数本のケーブルに接続され、前記ケーブルの両端は、２つの電気コネクタにそれぞれ接続されている、請求項１に記載のケーブルバックボード。
【請求項４】
前記電気コネクタは、第１タイプの電気コネクタと、第２タイプの電気コネクタとを含み、前記第１タイプの電気コネクタは、第１タイプのシングルボードに接続するように構成され、前記第２タイプの電気コネクタは、第２タイプのシングルボードに接続するように構成され、前記ケーブルの一端に第１タイプの電気コネクタが接続され、他端に第２タイプの電気コネクタが接続されている、請求項３に記載のケーブルバックボード。
【請求項５】
前記シングルボードは、サブラックに垂直に取り付けられた第１タイプのシングルボードと、水平に取り付けられた第２タイプのシングルボードとを含み、各ケーブルボックスは、サブラックに垂直に取り付けられ、サブラックにおける１つまたは複数の縦列内の全ての第１タイプのシングルボードを接続するように構成され、且つ、サブラックにおける水平に取り付けられた第２タイプのシングルボードのそれぞれを接続するために用いられる、請求項４に記載のケーブルバックボード。
【請求項６】
前記ケーブルボックスと前記１つまたは複数の縦列内の第１タイプのシングルボードのそれぞれとの間は、少なくとも１つの第１タイプの電気コネクタにより接続され、前記ケーブルボックスと水平に取り付けられた第２タイプのシングルボードのそれぞれとの間は、１つの第２タイプの電気コネクタにより接続されている、請求項５に記載のケーブルバックボード。
【請求項７】
前記ケーブルボックスと前記１つまたは複数の縦列内の第１タイプのシングルボードのそれぞれとの間は、ｎ個の第１タイプの電気コネクタにより接続され、ただし、ｎはサブラックの片面の単層に水平に取り付けられた第２タイプのシングルボードの個数である、請求項６に記載のケーブルバックボード。
【請求項８】
各ケーブルボックスはｎ個のケーブルアセンブリを備え、ただし、ｎはサブラックの片面の単層に水平に取り付けられた第２タイプのシングルボードの個数である、請求項５に記載のケーブルバックボード。
【請求項９】
ケーブルボックス内の各ケーブルアセンブリは、ｐ個の第１タイプの電気コネクタと、ｑ個の第２タイプの電気コネクタとを備え、ただし、ｐは前記ケーブルボックスに対応する１つまたは複数の縦列内の第１タイプのシングルボードの個数であり、前記ｐ個の第１タイプの電気コネクタは、それぞれ前記ケーブルボックスに対応するｐ個の第１タイプのシングルボードに接続され、前記サブラックが片面である場合、ｑは１であり、前記ｑ個の第２タイプの電気コネクタは片面の単層に水平に取り付けられた１つの第２タイプのシングルボードに接続され、前記サブラックが両面である場合、ｑは２であり、前記ｑ個の第２タイプの電気コネクタは、それぞれサブラックの各面における１つの第２タイプのシングルボードに接続されている、請求項８に記載のケーブルバックボード。
【請求項１０】
前記ボックス本体の正面および背面の少なくとも一方に開孔が設けられ、前記電気コネクタは前記開孔により前記ボックス本体に固定され、または前記ボックス本体の両側に構造部材が設けられ、前記電気コネクタは前記構造部材により前記ボックス本体に固定されている、請求項１に記載のケーブルバックボード。
【請求項１１】
前記ケーブルアセンブリにおける各本のケーブルの長さが同じである、請求項１〜１０のいずれか１項に記載のケーブルバックボード。
【請求項１２】
前記第１タイプのシングルボードはラインカードＬＣであり、第２タイプのシングルボードはスイッチカードＳＣであり、前記第１タイプの電気コネクタはＬＣに接続するために用いられ、前記第２タイプの電気コネクタはＳＣに接続するために用いられ、または前記第１タイプのシングルボードはＳＣであり、第２タイプのシングルボードはＬＣであり、前記第１タイプの電気コネクタはＳＣに接続するために用いられ、前記第２タイプの電気コネクタはＬＣに接続するために用いられる、
請求項４〜９のいずれか１項に記載のケーブルバックボード。
【請求項１３】
ボックス本体と、少なくとも１つのケーブルアセンブリとを備え、
前記ケーブルアセンブリは、少なくとも２つの電気コネクタと、少なくとも１本のケーブルとを備え、前記電気コネクタは前記ボックス本体に固定され、前記ケーブルは前記ボックス本体の内部に設けられ、前記少なくとも２つの電気コネクタは、前記ケーブルを介して相互接続され、前記電気コネクタおよびケーブルにより、サブラックにおける複数のシングルボード間の相互接続を実現する、ケーブルボックス。
【請求項１４】
前記電気コネクタの正面がシングルボードに接続するために用いられ、背面が１本または複数本のケーブルに接続され、前記ケーブルの両端は、２つの電気コネクタにそれぞれ接続されている、請求項１３に記載のケーブルボックス。
【請求項１５】
前記電気コネクタは、第１タイプの電気コネクタと、第２タイプの電気コネクタとを含み、前記第１タイプの電気コネクタは、第１タイプのシングルボードに接続するために用いられ、前記第２タイプの電気コネクタは、第２タイプのシングルボードに接続するために用いられ、前記ケーブルの一端に第１タイプの電気コネクタが接続され、他端に第２タイプの電気コネクタが接続されている、請求項１４に記載のケーブルボックス。
【請求項１６】
前記シングルボードは、サブラックに垂直に取り付けられた第１タイプのシングルボードと、水平に取り付けられた第２タイプのシングルボードとを含み、ケーブルボックスは、サブラックに垂直に取り付けられ、サブラックにおける１つまたは複数の縦列内の全ての第１タイプのシングルボードを接続するために用いられ、且つ、サブラックにおける水平に取り付けられた第２タイプのシングルボードのそれぞれを接続するために用いられる、請求項１５に記載のケーブルボックス。
【請求項１７】
前記ケーブルボックスはｎ個のケーブルアセンブリを備え、ただし、ｎはサブラックの片面の単層に水平に取り付けられた第２タイプのシングルボードの個数である、請求項１６に記載のケーブルボックス。
【請求項１８】
ケーブルボックス内の各ケーブルアセンブリは、ｐ個の第１タイプの電気コネクタと、ｑ個の第２タイプの電気コネクタとを有し、ただし、ｐは前記ケーブルボックスに対応する１つまたは複数の縦列内の第１タイプのシングルボードの個数であり、前記ｐ個の第１タイプの電気コネクタは、それぞれ前記ケーブルボックスに対応するｐ個の第１タイプのシングルボードに接続され、前記サブラックが片面である場合、ｑは１であり、前記ｑ個の第２タイプの電気コネクタは片面の単層に水平に取り付けられた１つの第２タイプのシングルボードに接続され、前記サブラックが両面である場合、ｑは２であり、前記ｑ個の第２タイプの電気コネクタは、それぞれサブラックの各面における１つの第２タイプのシングルボードに接続されている、請求項１７に記載のケーブルボックス。
【請求項１９】
前記ボックス本体の正面および背面の少なくとも一方に開孔が設けられ、前記電気コネクタは前記開孔により前記ボックス本体に固定され、または前記ボックス本体の両側に構造部材が設けられ、前記電気コネクタは前記構造部材により前記ボックス本体に固定されている、請求項１３に記載のケーブルボックス。
【請求項２０】
前記ケーブルアセンブリにおける各本のケーブルの長さが同じである、請求項１３〜１９のいずれか１項に記載のケーブルボックス。
【請求項２１】
少なくとも２つの電気コネクタと、少なくとも１本のケーブルとを備え、
前記少なくとも２つの電気コネクタは前記ケーブルを介して相互接続され、前記電気コネクタの正面がシングルボードに接続するために用いられ、背面が１本または複数本のケーブルに接続され、前記ケーブルの両端は、２つの電気コネクタにそれぞれ接続されている、ケーブルアセンブリ。
【請求項２２】
前記電気コネクタは、第１タイプの電気コネクタと、第２タイプの電気コネクタとを含み、前記第１タイプの電気コネクタは、第１タイプのシングルボードに接続するように構成され、前記第２タイプの電気コネクタは、第２タイプのシングルボードに接続するように構成され、前記ケーブルの一端に第１タイプの電気コネクタが接続され、他端に第２タイプの電気コネクタが接続されている、請求項２１に記載のケーブルアセンブリ。
【請求項２３】
前記ケーブルアセンブリにおける各本のケーブルの長さが同じである、請求項２１または２２に記載のケーブルアセンブリ。
【発明の詳細な説明】
【技術分野】
【０００１】
本願は、出願番号が２０１７１１４８４８３０．６で、出願日が２０１７年１２月２９日である中国特許出願に基づいて提案され、該中国特許出願に対して優先権の利益を主張し、該中国特許出願の全ての内容を参照として本願に援用する。
【０００２】
本願は、通信技術分野に関するが、通信技術分野に限定されず、特に、ケーブルバックボード、ケーブルボックスおよびケーブルアセンブリに関する。
【背景技術】
【０００３】
ＩｏＥ（Ｉｎｔｅｒｎｅｔ  ｏｆ  Ｅｖｅｒｙｔｈｉｎｇ）の需要がますます強くなり、インターネットの発展がますます激しくなることに伴い、大量のトラフィックは異なるサイト間で即時に伝達され、これらはネットワークにおけるスイッチデバイスのスイッチ容量に対してますます高くなる要求を求める。ＯＴＮ（Ｏｐｔｉｃａｌ  Ｔｒａｎｓｐｏｒｔ  Ｎｅｔｗｏｒｋ、光伝送ネットワーク）、ＰＴＮ（Ｐａｃｋｅｔ  Ｔｒａｎｓｐｏｒｔ  Ｎｅｔｗｏｒｋ、パケットトランスポートネットワーク）等の分野に基づく集中スイッチデバイスは、通常、複数のＬＣ（Ｌｉｎｅ  Ｃａｒｄ、ラインカード）および複数のＳＣ（Ｓｗｉｔｃｈ  Ｃａｒｄ、スイッチカード）で構成され、各ＬＣ間および各ＳＣ間は、いずれも十分に多くの物理的接続通路を有する必要があり、これらの通路は、主にバックボードＰＣＢ（Ｐｒｉｎｔｅｄ  Ｃｉｒｃｕｉｔ  Ｂｏａｒｄ、プリント基板）により各ＬＣとＳＣとの間の高速信号相互接続を実現する。
【０００４】
ＬＣは、異なるデバイスにおいてトラフィックボード、回路ボード、クライアントボード、分岐ボード等と呼ばれる可能性があり、外部トラフィックのアクセスまたは伝送をサポートし、バックボードソケットによりスイッチボードと通信するＰＣＢボードカードである。ＳＣは、異なるデバイスにおいてスイッチボード、交差ボード等と呼ばれる可能性があり、各ＬＣ間のトラフィックスイッチまたは交差スケジューリング機能を実現するＰＣＢボードカードである。
【０００５】
しかし、このようなバックボードＰＣＢによりサブラック内のシングルボード間の相互接続を実現することは、主に２つの問題がある。１つ目は、電気信号速度の向上に伴い、その伝送損失が著しく増大し、電気信号は非常に短い距離しか伝達できず、３０ｃｍのような少し長い距離を伝送すると、受信端で正確に受信できず、すなわち、バックボードＰＣＢにより、電気信号がサブラックの内部の各ボード間の長い距離の伝送を実現しにくい。２つ目は、単一スロットおよびデバイス容量の増加に伴い、信号接続の数も大幅に増加し、ＰＣＢバックボードの層数および厚さは工場の製作プロセスの限界に近く、すなわち、速度および信号数を満たすＰＣＢバックボードを生産しにくい。
【発明の概要】
【０００６】
本願の実施例は、ケーブルバックボード、ケーブルボックスおよびケーブルアセンブリを提供する。
【０００７】
本願の実施例は、ケーブルバックボードであって、サブラックに取り付け可能であり、少なくとも１つのケーブルボックスを備え、前記ケーブルボックスは、ボックス本体および少なくとも１つのケーブルアセンブリを備え、前記ケーブルアセンブリは、少なくとも２つの電気コネクタおよび少なくとも１本のケーブルを備え、前記電気コネクタは前記ボックス本体に固定され、前記ケーブルは前記ボックス本体の内部に設けられ、前記少なくとも２つの電気コネクタは、前記ケーブルを介して相互接続され、前記電気コネクタおよびケーブルにより、サブラックにおける複数のシングルボード間の相互接続を実現するケーブルバックボードを提供する。
【０００８】
本願の実施例は、ケーブルボックスであって、ボックス本体および少なくとも１つのケーブルアセンブリを備え、前記ケーブルアセンブリは、少なくとも２つの電気コネクタおよび少なくとも１本のケーブルを備え、前記電気コネクタは前記ボックス本体に固定され、前記ケーブルは前記ボックス本体の内部に設けられ、前記少なくとも２つの電気コネクタは、前記ケーブルを介して相互接続され、前記電気コネクタおよびケーブルにより、サブラックにおける複数のシングルボード間の相互接続を実現するケーブルボックスを更に提供する。
【０００９】
本願の実施例は、ケーブルアセンブリであって、少なくとも２つの電気コネクタおよび少なくとも１本のケーブルを備え、前記少なくとも２つの電気コネクタは前記ケーブルを介して相互接続され、前記電気コネクタの正面がシングルボードに接続するために用いられ、背面が１本または複数本のケーブルに接続され、前記ケーブルの両端は、２つの電気コネクタにそれぞれ接続されているケーブルアセンブリを更に提供する。
【００１０】
本願の実施例のケーブルバックボードにより、高速信号の伝送損失を低減し、サブラック内の各シングルボードの相互接続の距離を延長し、相互接続の信号速度を向上させ、接続の電気的性能を強化し、ポートの接続数を増大し、サブラックのスイッチ容量を向上させることができる。ケーブルバックボードを複数のケーブルボックスに区分し、更に複数のケーブルボックスを複数のケーブルアセンブリに区分することにより、ケーブルバックボードの作製の難易度を大きく低減することができ、ケーブルバックボードのコストおよび組み立ての難易度を低減することができる。
【００１１】
本願の他の特徴および利点は、後の明細書に説明され、且つ、一部は明細書から明らかになるか、または本願の実施により理解される。本願の目的および他の利点は、明細書、特許請求の範囲および図面で特別に指摘される構造により実現されて取得できる。
【図面の簡単な説明】
【００１２】
図面は、本願の技術案の更なる理解を提供するためのものであり、且つ明細書の一部を構成し、本願の実施例と共に本願の技術案を解釈するために用いられ、本願の技術案を制限するものではない。
【００１３】
【図１】本願の実施例のケーブルバックボードの模式図である。
【図２】本願の実施例のケーブルボックスの模式図である。
【図３】本願の別の実施例のケーブルボックスの模式図である。
【図４】本願の実施例のケーブルアセンブリの模式図である。
【図５】本願の実施例のサブラックの正面模式図である。
【図６】本願の実施例のサブラックの側面模式図である。
【図７】本願の実施例のサブラックの平面模式図である。
【図８】本願の実施例のサブラックの正面模式図である。
【図９】本願の実施例のサブラックの側面模式図である。
【図１０】本願の実施例のサブラックの平面模式図である。
【図１１】本願の実施例のサブラックの正面模式図である。
【図１２】本願の実施例のサブラックの側面模式図である。
【図１３】本願の実施例のサブラックの平面模式図である。
【図１４】本願の実施例のサブラックの正面模式図である。
【図１５】本願の実施例のサブラックの側面模式図である。
【図１６】本願の実施例のサブラックの平面模式図である。
【図１７】本願の実施例のサブラックの正面模式図である。
【図１８】本願の実施例のサブラックの側面模式図である。
【図１９】本願の実施例のサブラックの平面模式図である。
【発明を実施するための形態】
【００１４】
本願の目的、技術案および利点をより明らかにするために、以下、図面を参照しながら本願の実施例を詳細に説明する。なお、矛盾しない限り、本願における実施例と実施例における特徴は、互いに任意に組み合わせることができる。
【００１５】
高速ケーブルまたは電気ケーブルの性能がＰＣＢの性能よりも良く、例えば、１ｍの高速ケーブルの高速電気信号に対する減衰は、高速板材ＰＣＢの同じ速度の電気信号に対する減衰の１／６以下だけである。本願の実施例は、ケーブルをサブラックの内部とすることに基づくケーブルバックボードを提供し、高速度、大容量のサブラックの設計および製造に適用する。
【００１６】
しかし、簡単にケーブルを用いて全ての電気コネクタを交差接続して１つの大きなケーブルバックボードを構成すると、大量のケーブルとコネクタとが混合して交差接続され、バックボードの組み立て時に、これらの大量のケーブルおよびコネクタを整理して配線することが非常に困難であり、且つ、コネクタはケーブルにより互いに絡み合い、バックボードの組み立てにも大きな不便をもたらす。更に、相互接続する必要のあるコネクタ間の距離の長さが異なるため、複数種の長さのケーブルが必要となり、ケーブルの生産に大きな難易度をもたらし、異なる長さのケーブルの取り付け位置も異なり、更にバックボードの組み立てにより大きな難易度をもたらす。そのため、このような方式により、ケーブルバックボードの作製プロセスおよび作製の難易度は大きすぎ、大規模な生産に非常に不利であり、且つコストも高い。
【００１７】
これに鑑みて、本願の実施例はケーブルバックボードを提供し、接続数の多いケーブルバックボードを複数のケーブルボックスに区分し、更に各ケーブルボックス内のコネクタおよびケーブルを複数のケーブルアセンブリに構成し、ケーブルバックボードにおける過剰なコネクタによる複数のコネクタ間の交差混合接続の製造の難易度を回避し、ケーブルバックボードの作製の難易度を大きく低減することができ、ケーブルバックボードのコストおよび組み立ての難易度を低減することができ、サブラックシステムのスイッチ容量を大きく向上させることもできる。
【００１８】
説明の便宜上、本願の実施例において、ケーブルおよび電気ケーブルをまとめてケーブルと呼ぶ。
【００１９】
図１に示すように、本願の実施例のケーブルバックボードは、サブラックに取り付け可能であり、少なくとも１つのケーブルボックス１００を備える。
【００２０】
例えば、前記ケーブルバックボードには、サブラックに取り付けることができるように、サブラックに取り付けるための取り付け部位または取り付け部品が保留されている。
【００２１】
前記ケーブルバックボードは、前記ケーブルボックスを固定するための少なくとも１つの構造固定部材２００を更に備えてもよい。構造固定部材２００により、複数のケーブルボックス１００をスプライシングして１つの完全なケーブルバックボードを構成する。図１において、構造固定部材２００とケーブルボックス１００との間の固定は、ネジ２０１により実現してもよいし、他の形態で実現してもよく、例えば、構造固定部材２００とケーブルボックス１００との間は、クリップにより接続されてもよく、本願の実施例はこれに対して制限しない。
【００２２】
図２および図３に示すように、前記ケーブルボックス１００は、ボックス本体１２０と、少なくとも１つのケーブルアセンブリ１３０とを備え、前記ケーブルアセンブリ１３０は、少なくとも２つの電気コネクタ１１０と、少なくとも１本のケーブル１４０とを備え、前記電気コネクタ１１０は前記ボックス本体１２０に固定され、前記ケーブル１４０は前記ボックス本体１２０の内部に設けられ、前記少なくとも２つの電気コネクタ１１０は前記ケーブル１４０を介して相互接続され、前記電気コネクタ１１０およびケーブル１４０により、サブラックにおける複数のシングルボード間の相互接続を実現する。
【００２３】
本願の実施例のケーブルバックボードにより、高速信号の伝送損失を低減し、サブラック内の各シングルボードの相互接続の距離を延長し、相互接続の信号速度を向上させ、接続の電気的性能を強化し、ポートの接続数を増大し、サブラックのスイッチ容量を向上させることができる。大きな接続数のケーブルバックボードを複数のケーブルボックスに区分し、更に複数のケーブルボックスを複数のケーブルアセンブリに区分し、ケーブルバックボードの作製の難易度を大きく低減することができ、ケーブルバックボードのコストおよび組み立ての難易度を低減することができる。
【００２４】
前記電気コネクタ１１０の正面はシングルボードに接続するために用いられ、背面は１本または複数本のケーブル１４０に接続され、前記ケーブル１４０の両端は、２つの電気コネクタ１１０にそれぞれ接続されている。
【００２５】
本実施例において、前記電気コネクタ１１０の正面と背面とが互いに反対面となる。
【００２６】
前記ボックス本体１２０は、金属ボックス本体であってもよく、プラスチックボックス本体であってもよく、一部が金属で一部がプラスチック等の成分であってもよく、形状は、図１および図２に示すように、規則的な立方体であってもよく、図３に示すように、不規則的な形状であってもよく、規則的な立方体の両側に小立方体のような構造部材１５０を追加することにより、電気コネクタ１１０をこの小立方体に固定する。
【００２７】
ボックス本体１２０の正面または背面には、電気コネクタ１１０を固定するために孔が開けられ、図１および図２において、電気コネクタ１１０を全て正面に配置し、同様に、電気コネクタ１１０を背面または正面に配置する方法は、背面に配置する方法は同じである。電気コネクタ１１０は、ボックス本体１２０の正面または背面の開孔に固定されてシングルボード（例えばＬＣまたはＳＣ）における１つの電気コネクタに接続される。電気コネクタ１１０のボックス本体１２０における固定方式は、電気コネクタ１１０がその自体の突起等の構造によりボックス本体１２０の開孔に嵌め込まれてもよいし、外部の補助固定部材により電気コネクタ１１０をボックス本体１２０に縛り付けしてもよい。且つ、ボックス本体１２０の正面または背面の幅および電気コネクタ１１０の幅は限定されず、ボックス本体１２０が規則的な直方体である必要もなく、不規則的な形状であってもよい。電気コネクタ１１０の幅がボックス本体１２０におけるケーブルを固定する部分の幅よりも大きければ、ボックス本体１２０は、電気コネクタ１１０を包むかまたは固定するように、電気コネクタ１１０の固定位置で幅を増大することができる。且つ、電気コネクタ１１０とシングルボードにおける電気コネクタとを接続する際に、２つの電気コネクタが位置ずれを有しても正常にドッキングできるように、ガイドピンおよびフローティングの装置または機能が必要となる可能性がある。
【００２８】
電気コネクタ１１０とシングルボードとの挿着面は、ピンの接続面であってもよいし、ソケットの接続面であってもよい。電気コネクタ１１０の挿着面がケーブルボックス１００の外側に向いているが、電気コネクタ１１０の他面（ここで、前記挿着面の反対面であってもよい）がケーブル１４０に接続され、ケーブルボックス１００の内部に向き、すなわち、シングルボードは電気コネクタ１１０によりケーブルボックス１００内のケーブル１４０に接続することができる。ボックス本体１２０の内部が空きであり、高速ケーブルを配置することができ、すなわち、ケーブル１４０をケーブルボックス１００の内部に配置する。
【００２９】
本願のいくつかの実施例において、前記電気コネクタ１１０は、第１タイプの電気コネクタ１１１と、第２タイプの電気コネクタ１１２とを含み、前記第１タイプの電気コネクタ１１１は、第１タイプのシングルボードに接続するように構成され、前記第２タイプの電気コネクタ１１２は、第２タイプのシングルボードに接続するように構成され、前記ケーブル１４０の一端に第１タイプの電気コネクタ１１１が接続され、他端に第２タイプの電気コネクタ１１２が接続されている。図２に示すように、第１タイプのシングルボードは第１タイプの電気コネクタ１１１によりケーブル１４０に接続され、また、このケーブル１４０を介して第２タイプの電気コネクタ１１２に接続され、更に、第２タイプの電気コネクタ１１２に接続された第２タイプのシングルボードに接続され、この１対の第１タイプのシングルボードと第２タイプのシングルボードとの間の高速相互接続を完了する。
【００３０】
なお、電気コネクタ１１０を第１タイプの電気コネクタ１１１および第２タイプの電気コネクタ１１２に分けることは、異なるタイプのシングルボードに接続される電気コネクタ１１０を区分するためであり、第１タイプの電気コネクタ１１１および第２タイプの電気コネクタ１１２が形状または構造で異なることを表すものではなく、第１タイプの電気コネクタ１１１および第２タイプの電気コネクタ１１２は、同一型番のコネクタであってもよい。
【００３１】
いくつかの実施例において、前記第１タイプのコネクタ１１１および第２タイプのコネクタ１１２は異なるタイプのコネクタであってもよく、この２種のタイプのコネクタは、異なるタイプのシングルボードと接続することができる。いくつかの実施例において、前記第１タイプのコネクタ１１１および前記第２タイプのコネクタ１１２の違いは、
前記第１タイプのコネクタ１１１および前記第２タイプのコネクタ１１２の外形が異なるという面と、
前記第１タイプのコネクタ１１１および前記第２タイプのコネクタ１１２に設けられたシングルボードに接続するための接続端子の数が異なるという面と、
前記第１タイプのコネクタ１１１および前記第２タイプのコネクタ１１２に設けられたシングルボードに接続するための接続端子のタイプが異なるという面と、
前記第１タイプのコネクタ１１１および前記第２タイプのコネクタ１１２に設けられたシングルボードに接続するための接続端子の配列方式が異なるという面と、
前記第１タイプのコネクタ１１１および前記第２タイプのコネクタ１１２が電気信号伝送を行う時に遵守する規格またはプロトコルが異なるという面と、
のいずれかで具現化され得る。
【００３２】
本願のいくつかの実施例において、前記シングルボードは、サブラックに垂直に取り付けられた第１タイプのシングルボードと、水平に取り付けられた第２タイプのシングルボードとを含み、各ケーブルボックス１００は、サブラックに垂直に取り付けられ、サブラックにおける１つまたは複数の縦列内の全ての第１タイプのシングルボードに接続でき、サブラックにおける水平に取り付けられた第２タイプのシングルボードのそれぞれを接続するために用いられる。各ケーブルボックス１００において、サブラックには１つまたは複数の第１タイプのシングルボードを取り付け可能な取り付け部位または取り付け部品が設けられている。
【００３３】
つまり、本願の実施例において、第１タイプのシングルボードは縦挿ボードであり、第２タイプのシングルボードは横挿ボードである。
【００３４】
本願の実施例は、複数の縦挿されたケーブルボックス１００の組み合わせにより、ケーブルボックス１００の間に一定の隙間が存在し、横挿ボード層に前後貫通風路をもたらし、更に横挿ボードの放熱問題を解決することができる。
【００３５】
いくつかの実施例において、ケーブルボックス１００の隙間の間に放熱構造が更に配置されてもよく、該放熱構造は熱伝導が良好な金属放熱フィンを備えてもよい。
【００３６】
本願のいくつかの実施例において、前記第１タイプのシングルボードはＬＣであり、第２タイプのシングルボードはＳＣであり、前記第１タイプの電気コネクタはＬＣに接続するために用いられ、前記第２タイプの電気コネクタはＳＣに接続するために用いられ、または、前記第１タイプのシングルボードはＳＣであり、第２タイプのシングルボードはＬＣであり、前記第１タイプの電気コネクタはＳＣに接続するために用いられ、前記第２タイプの電気コネクタはＬＣに接続するために用いられる。
【００３７】
本願の実施例のサブラックは階層構造を採用し、ＬＣおよびＳＣは異なる層にあり、且つ、ＬＣボードとＳＣボードとが互いに垂直であり、すなわち、ＬＣが縦挿され、ＳＣが横挿され、またはＬＣが横挿され、ＳＣが縦挿されている。つまり、ＬＣが縦挿され、ＳＣが横挿されている場合、第１タイプのシングルボードはＬＣであり、第２タイプのシングルボードはＳＣであり、ＬＣが横挿され、ＳＣが縦挿されている場合、第１タイプのシングルボードはＳＣであり、第２タイプのシングルボードはＬＣである。
【００３８】
本願の実施例のサブラックは、片面のサブラックまたは両面のサブラックを採用することができ、両面のサブラックの場合、正面および背面はケーブルバックボードとの接続が同じであり、且つ２層または３層のサブラックに適用され、各層は全てＬＣボードまたはＳＣボードである。２層の場合、上下２層はランダムにＳＣまたはＬＣであり、３層の場合、中間層はＳＣである。
【００３９】
本願のいくつかの実施例において、前記ケーブルボックス１００と前記１つまたは複数の縦列内の第１タイプのシングルボードのそれぞれとの間は、少なくとも１つの第１タイプの電気コネクタ１１１により接続され、前記ケーブルボックス１００と水平に取り付けられた第２タイプのシングルボードのそれぞれとの間は、１つの第２タイプの電気コネクタ１１２により接続されている。
【００４０】
ここで、各列の縦挿ボード（第１タイプのシングルボード）が１つのケーブルボックス１００に接続されている。１つのケーブルボックス１００が１列または複数列の縦挿ボードに接続されている。１つのケーブルボックス１００が各横挿ボード（第２タイプのシングルボード）に接続されている。
【００４１】
実際の適用において、サブラックにおける片面の単層内の縦挿ボードの個数ｍに基づき、ケーブルバックボードをｍ／ｋ個のケーブルボックス１００に区分し（ｋが正の整数である）、すなわち、ｋ個の縦挿ボードごとに、１つのケーブルボックス１００が対応する。
【００４２】
本願のいくつかの実施例において、前記ケーブルボックス１００と前記１つまたは複数の縦列内の第１タイプのシングルボードのそれぞれとの間は、ｎ個の第１タイプの電気コネクタ１１１により接続され、ただし、ｎはサブラックの片面の単層に水平に取り付けられた第２タイプのシングルボードの個数である。
【００４３】
１つのケーブルボックス１００は、各縦挿ボードとｎ個の電気コネクタが接続され、各横挿ボードと１つの電気コネクタが接続されている。ここでのｎは任意の正の整数であってもよく、例えば、ｎは２または２以上の正の整数であってもよい。
【００４４】
本願のいくつかの実施例において、各ケーブルボックス１００はｎ個のケーブルアセンブリ１３を備える。
【００４５】
ここで、各ケーブルアセンブリ１３０は、各横挿ボード層における１つの横挿ボードに対応するケーブルボックス内の電気コネクタ、および各縦挿ボードに対応するケーブルボックス内の１つの電気コネクタに接続されている。
【００４６】
本願のいくつかの実施例において、ケーブルボックス１００内の各ケーブルアセンブリ１３０は、ｐ個の第１タイプの電気コネクタ１１１と、ｑ個の第２タイプの電気コネクタ１１２とを備え、ただし、ｐは前記ケーブルボックス１００に対応する１つまたは複数の縦列内の第１タイプのシングルボードの個数であり、前記ｐ個の第１タイプの電気コネクタ１１１は、それぞれ前記ケーブルボックス１００に対応するｐ個の第１タイプのシングルボードに接続され、前記サブラックが片面である場合、ｑは１であり、前記ｑ個の第２タイプの電気コネクタ１１２は片面の単層に水平に取り付けられた１つの第２タイプのシングルボードに接続され、前記サブラックが両面である場合、ｑは２であり、前記ｑ個の第２タイプの電気コネクタ１１２は、それぞれサブラックの各面における１つの第２タイプのシングルボードに接続されている。
【００４７】
図２および図３は、ケーブルボックスの内部の１つのケーブルアセンブリを示す。図２において、１つのケーブルアセンブリは、３つの電気コネクタ１１０と、２本のケーブル１４０とを備え、各本のケーブル１４０は、２つの電気コネクタ１１０を接続するために用いられ、ここで、ケーブル１４０の一端に第１タイプの電気コネクタ１１１が接続され、他端に第２タイプの電気コネクタ１１２が接続されている（図２において、中間が第２タイプの電気コネクタ１１２で、上下が第１タイプの電気コネクタ１１１であるものを例とする）。図３において、１つのケーブルアセンブリは、５つの電気コネクタ１１０と、４本のケーブル１４０とを備え、各本のケーブルは２つの電気コネクタ１１０を接続するために用いられ、ここで、サブラックの上下層が縦挿ボードで、中間層が横挿ボードであるものを例とし、ケーブル１４０の一端に第１タイプの電気コネクタ１１１が接続され、他端に第２タイプの電気コネクタ１１２が接続されている（図３において、中間が第２タイプの電気コネクタ１１２で、上下が第１タイプの電気コネクタ１１１であるものを例とする）。
【００４８】
図４は、１つのケーブルアセンブリを示し、１０個の電気コネクタ１１０と、１６本のケーブル１４０とを備え、各本のケーブル１４０は２つの電気コネクタ１１０を接続するために用いられる。このケーブルアセンブリは、前後両面の挿入ボードのサブラックに使用できる。本例において、ＬＣは第１タイプのシングルボードであり、ＳＣは第２タイプのシングルボードであり、電気コネクタ１１１１および１１１２は、正面のＬＣを接続する電気コネクタであり、例えば、２つの電気コネクタ１１１１は、それぞれ上層における２つのＬＣボードに接続され、２つの電気コネクタ１１１２は、それぞれ下層における２つのＬＣボードに接続される。電気コネクタ１１２１は正面のＳＣに接続される電気コネクタである。２つの電気コネクタ１１１１、２つの電気コネクタ１１１２、および電気コネクタ１１２１という５つの電気コネクタ１１のケーブルボックスとの固定方式は、図３の正面と一致する。電気コネクタ１１１３および１１１４は、背面ＬＣに接続される電気コネクタであり、例えば、２つの電気コネクタ１１１３は上層における２つのＬＣボードに接続され、２つの電気コネクタ１１１４は、それぞれ下層における２つのＬＣに接続される。電気コネクタ１１２２は背面のＳＣに接続される電気コネクタである。２つの電気コネクタ１１１３、２つの電気コネクタ１１１４、および電気コネクタ１１２２という５つの電気コネクタのケーブルボックスとの固定方式は、図３に類似するが、ケーブルボックスの背面に取り付けられている。８つの第１タイプの電気コネクタと２つの第２タイプの電気コネクタとの間に、図におけるケーブル１４０に示すように、１６組の高速接続が存在する。
【００４９】
各ケーブルボックス１００には、いずれも複数の電気コネクタ１１０が備えられ、ＬＣボードに接続される電気コネクタとＳＣボードに接続される電気コネクタとの間は、複数本のケーブル１４０を介して接続され、このように、１つのケーブルボックス１００で、少なくとも１つのＬＣボードと少なくとも１つのＳＣボードとの間の高速接続を実現することができる。複数のケーブルボックス１００により組み合わせられたケーブルバックボードで、全てのＬＣボードと全てのＳＣボードとの間の交差接続を実現することができる。
【００５０】
ケーブルボックスを作製するとき、まず、１つのケーブルアセンブリ１３０となるようにケーブル１４０および電気コネクタ１１０を加工し、その後、このケーブルアセンブリ１３０の電気コネクタ１１０をケーブルボックスのボックス本体１２０に固定し、ケーブル１４０をボックス本体１２０の内部に配置することができる。取り付けやすいために、ボックス本体１２０のある面または複数の面を開放可能な構造に作製することができ、全てのケーブルアセンブリ１３０が組み立てられた後、開放された構造面を固定する。最後に、複数のケーブルボックス１００を一定の構造により固定したり、１つのケーブルバックボードに組み立てたりする。
【００５１】
電気コネクタ間の間隔を合理的に設計すること、例えば、各層における横挿ボード間の電気コネクタおよび縦挿ボードにおける電気コネクタの間隔を等間隔に保持することにより、同一面の電気コネクタ１１０間の各セグメントのケーブル１４０の長さを同じにすることができ、ケーブル１４０が一定の曲げ半径を必要とするため、ケーブルボックス１００の深さを合理的に設計すること、例えば、ケーブルボックス１００の深さをケーブル１４０の曲げ半径とすることにより、異なる面の電気コネクタ１１０間の各セグメントのケーブル１４０の長さと同一面の電気コネクタ１１０間のケーブルの長さとを同じにすることができ、すなわち、図４における１６本の高速接続のケーブルの長さはいずれも同じである。このように、ケーブルアセンブリ１３０の加工難易度を大きく低減することができ、異なるケーブルの長さの加工アセンブリの場合、各本のケーブルをマーキングして異なる長さのケーブルに従って加工したり組み立てたりする必要があることによる手間を回避する。
【００５２】
ケーブルアセンブリは、加工が容易で、各ケーブルアセンブリはケーブルボックスに独立して取り付けられ、ケーブルがケーブルボックス内で空間的に交差している。複数の同じケーブルアセンブリを１つのケーブルボックスに組み立てるときも非常に容易であり、複数のケーブルボックスを１つのケーブルバックボードに組み立てることも容易であり、すなわち、本願の実施例は、ケーブルバックボードの生産および組み立てに大きな便利をもたらす。
【００５３】
本適用実施例は、片面の２層のサブラック（１６個のＬＣが縦挿され、６つのＳＣが横挿されている）であり、１つのケーブルボックスが１列の縦挿ボードにドッキングされている。上層には１６枚のＬＣが垂直に配置され、それぞれＬＣ１〜ＬＣ１６であり、下層には６枚のＳＣが水平に配置され、それぞれＳＣ１〜ＳＣ６である。
【００５４】
本実施例において、第１タイプのシングルボードはＬＣであり、第２タイプのシングルボードはＳＣである。
【００５５】
図５、図６、図７は、それぞれこの適用例のサブラックの正面図、側面図、および平面図である。ここで、正面図の図５はケーブルバックボードを示し、１６個のケーブルボックス１００を備え、各ケーブルボックス１００が１列の縦挿されたＬＣに対応する。一方、ＬＣおよびＳＣについては、ケーブルバックボードにおけるＬＣに対応する電気コネクタ領域１０２（破線枠）、およびケーブルバックボードにおけるＳＣに対応する電気コネクタ領域１０５（破線枠）のみを示す。ケーブルバックボードは１６個の垂直なケーブルボックス１００で構成される。各ケーブルボックス１００が１つのＬＣ２１０に接続され、それと６つの電気コネクタ１１１が接続されている。各ケーブルボックス１００が全てのＳＣ２２０に接続され、各ＳＣと１つの電気コネクタ１１２が接続されている。一方、各ＳＣ２２０は、その上の１６個の電気コネクタ２２１により全ての１６個のケーブルボックス１００に接続されている。
【００５６】
側面図の図６において、１つのＬＣ２１０は、その上の６つの電気コネクタ２１１により１つのケーブルボックス１００の６つの電気コネクタ１１１に接続され、ＳＣ２２０は、その上の電気コネクタ２２１によりケーブルボックス１００の１つの電気コネクタ１１２に接続されている。電気コネクタ１１１と電気コネクタ１１２との間は、複数本のケーブル１４０を介して接続されている。本適用例において、１つのケーブルボックス１００内に６つのケーブルアセンブリが備えられ、各ケーブルアセンブリは、ケーブル１４０を介して１つのＬＣの電気コネクタ２１１および１つのＳＣの電気コネクタ２２１を接続し、６つのケーブルアセンブリは、全ての１つのＬＣ２１０に対応する６つの電気コネクタ２１１および６つのＳＣ２２０における対応する６つの電気コネクタ２２１を接続することができる。それと同時に、６つのＬＣ２１０に対応する電気コネクタ２１１および６つのＳＣ２２０における対応する電気コネクタ２２１は、等間隔に配列することができ、このように、６つのケーブルアセンブリは、ケーブルアセンブリの加工難易度を大きく低減し、ケーブルバックボードのコストを低減するように、同じアセンブリに作製することができる。
【００５７】
平面図の図７において、ケーブルボックス１００を備え、各ケーブルボックス１００には、ＬＣに接続される電気コネクタおよびＳＣに接続される電気コネクタが備えられ、両者が平面図で重なり、電気コネクタ１１０として表され、対応する電気コネクタは２３０であり、ＬＣ（実線で描画した）およびＳＣ（破線で描画した）における電気コネクタである。
【００５８】
本実施例は、片面の３層のサブラック（１６個のＬＣが縦挿され、９つのＳＣが横挿されている）であり、１つのケーブルボックスが１列の縦挿ボードにドッキングされている。上層には１６枚のＬＣが垂直に配置され、それぞれＬＣ１〜ＬＣ１６であり、中層には９枚のＳＣが水平に配置され、それぞれＳＣ１〜ＳＣ９であり、下層には１６枚のＬＣが垂直に配置され、それぞれＬＣ１７〜ＬＣ３２である。上層のＬＣおよび下層のＬＣは同じ挿入方向であってもよく、反対となる挿入方向（例えば、上層が正立挿入であり、下層が倒立挿入である）であってもよい。本適用例は、反対となる挿入方向である。
【００５９】
本実施例において、第１タイプのシングルボードはＬＣであり、第２タイプのシングルボードはＳＣである。
【００６０】
図８、図９、図１０は、それぞれこの適用実施例のサブラックの正面図、側面図、および平面図である。ここで、正面図の図８はＬＣ、ＳＣを示さず、ケーブルボックス１００と、ケーブルバックボードにおけるＬＣに対応するコネクタ領域１０２（破線枠）と、ケーブルバックボードにおけるＳＣに対応するコネクタ領域１０５（破線枠）とを示している。ケーブルバックボードは１６個の垂直なケーブルボックス１００で構成される。各ケーブルボックス１００は上下層の合計２つのＬＣ２１０に接続され、上層および下層の各ＬＣはケーブルボックス１００と９つの電気コネクタ１１１が接続され、各ケーブルボックス１００は全てのＳＣ２２０に接続され、各ＳＣ２２０と１つの電気コネクタ１１２が接続されている。一方、各ＳＣ２２０は、電気コネクタ２２１により全ての１６個のケーブルボックス１００に接続されている。
【００６１】
側面図の図９において、１つの上層のＬＣ２１０は、その上の９つの電気コネクタ２１１により１つのケーブルボックス１００の９つの電気コネクタ１１１に接続され、ＳＣ２２０は、その上の電気コネクタ２２１によりケーブルボックスの１つの電気コネクタ１１２に接続され、１つの下層のＬＣ２１０は、その上の９つの電気コネクタ２１１により１つのケーブルボックス１００の９つの電気コネクタ１１１に接続されている。且つ、ケーブルボックスには９つのケーブルアセンブリ１３０が備えられ、各ケーブルアセンブリ１３０は、１つの上層のＬＣの電気コネクタ１１１、１つの下層のＬＣの電気コネクタ１１１、および１つの中層のＳＣの電気コネクタ１１２を接続し、すなわち、各アセンブリは、２つのＬＣの電気コネクタ１１１と、１つのＳＣの電気コネクタ１１２とを備え、そして、ケーブル１４０を用いて２つのＬＣの電気コネクタ１１１と１つのＳＣの電気コネクタ１１２とをそれぞれ接続する。９つのケーブルアセンブリ１３０は、全ての２つのＬＣ２１０にそれぞれ対応する９つの電気コネクタ２１１および９つのＳＣ２２０における対応する９つの電気コネクタ２２１を接続することができる。それと同時に、２組の９つのＬＣの電気コネクタ２２１および９つのＳＣにおける対応する電気コネクタ２２１は等間隔に配列することができ、ＳＣ１に対応する電気コネクタおよびＬＣにおける１つ目の電気コネクタを１つのアセンブリとして優先的に選択することができ、以降は同様にし、このように、９つのケーブルアセンブリ１３０は、ケーブルアセンブリの加工難易度を大きく低減し、ケーブルバックボードのコストを低減するように、同じアセンブリに作製することができる。
【００６２】
平面図の図１０において、ケーブルボックス１００を備え、各ケーブルボックス１００には、ＬＣに接続される電気コネクタと、ＳＣに接続される電気コネクタとが備えられ、両者は平面図で重なり、電気コネクタ１１０として表され、対応する電気コネクタは２３０であり、上層のＬＣ（実線で描画した）、ＳＣ（破線で描画した）、および下層のＬＣ（破線で灰色充填した）における電気コネクタである。
【００６３】
本実施例は、片面の３層のサブラック（１６個のＬＣが横挿され、９つのＳＣが縦挿されている）であり、１つのケーブルボックスは１列の縦挿ボードにドッキングされている。上層には１６枚のＬＣが水平に配置され、それぞれＬＣ１〜ＬＣ１６であり、中層には９枚のＳＣが垂直に配置され、それぞれＳＣ１〜ＳＣ９であり、下層には１６枚のＬＣが水平に配置され、それぞれＬＣ１７〜ＬＣ３２である。上層のＬＣおよび下層のＬＣは同じ挿入方向である。
【００６４】
本実施例において、第１タイプのシングルボードはＳＣであり、第２タイプのシングルボードはＬＣである。
【００６５】
図１１、図１２、図１３は、それぞれこの適用例のサブラックの正面図、側面図、および平面図である。ここで、正面図の図１１にはＬＣ、ＳＣが描画されず、ケーブルボックス１００と、ケーブルバックボードにおけるＬＣに対応するコネクタ領域１０２と、ケーブルバックボードにおけるＳＣに対応するコネクタ領域１０５（破線枠）とを描画した。ケーブルバックボードは、９つの垂直なケーブルボックス１００で構成される。各ケーブルボックス１００は、上下層の全ての横挿ＬＣ２１０に接続され、上層の各ＬＣと１つの電気コネクタ１１２が接続され、下層の各ＬＣと１つの電気コネクタ１１２が接続されている。一方、各ＬＣは電気コネクタ２１１により全ての９つのケーブルボックス１００に接続されている。各ケーブルボックス１００は中層の１つの縦挿されたＳＣ２２０に接続され、各ＳＣ２２０に１６個の電気コネクタ２２１がある。
【００６６】
側面図の図１２において、１つの上層の横挿されたＬＣ２１０は、その上の電気コネクタ２１１により１つのケーブルボックス１００の電気コネクタ１１２に接続され、ＳＣ２２０は、その上の１６個の電気コネクタ２２１によりケーブルボックス１００の１６個の電気コネクタ１１１に接続され、１つの下層のＬＣ２１０は、その上の電気コネクタ２１１によりケーブルボックス１００の電気コネクタ１１２に接続されている。且つ、ケーブルボックス１００には１６個のケーブルアセンブリ１３０が備えられ、各ケーブルアセンブリ１３０は、１つの上層のＬＣの電気コネクタ１１２、１つの下層のＬＣの電気コネクタ１１２、および１つの中層のＳＣの電気コネクタ１１１に接続され、すなわち、各アセンブリには、２つのＬＣの電気コネクタ１１２と、１つＳＣの電気コネクタ１１１とが備えられ、その後、ケーブル１４０を用いて２つのＬＣの電気コネクタ１１２と１つのＳＣの電気コネクタ１１１とをそれぞれ接続し、つまり、各ケーブルアセンブリ１３０は、ＳＣ２２０を上層の１つのＬＣ２１０および下層の１つのＬＣ２１０に接続させることができる。１つのケーブルボックス１００内の１６個のケーブルアセンブリ１３０は、１つのＳＣ２２０における１６個の電気コネクタ２２１と上下層の各１６個のＬＣ２１０とを全て接続させることができ、この縦挿されたＳＣと全てのＬＣとの接続を実現する。一方、９つのケーブルボックス１００は、９つのＳＣと全てのＬＣとの間の接続を実現することができる。
【００６７】
それと同時に、２組の１６個のＬＣ間の電気コネクタの間隔とＳＣにおける１６個の電気コネクタの間隔とを同じに保持することができ、等間隔に配列することができ、ＬＣ１、ＬＣ１７に対応する電気コネクタおよびＳＣにおける１つ目の電気コネクタを１つのアセンブリとして優先的に選択することができ、以降は同様にし、このように、１６個のケーブルアセンブリは、ケーブルアセンブリの加工難易度を大きく低減し、ケーブルバックボードのコストを低減するように、同じアセンブリに作製することができる。
【００６８】
平面図の図１３において、ケーブルボックス１００を備え、各ケーブルボックス１００には、ＬＣに接続される電気コネクタと、ＳＣに接続される電気コネクタとが備えられ、両者が平面図で重なり、電気コネクタ１１０として表され、それにドッキングされた電気コネクタは２３０であり、上層および下層のＬＣ（実線で描画した２１０）およびＳＣ（破線で灰色充填により描画した２２０）の電気コネクタである。
【００６９】
本実施例は、両面の３層のサブラック（片面の単層に１６個のＬＣが縦挿され、９つのＳＣが横挿されている）であり、１つのケーブルボックスが１列の縦挿ボードにドッキングされている。上層の正面には１６枚のＬＣが垂直に配置され、それぞれＬＣ１〜ＬＣ１６であり、中層の正面には９枚のＳＣが水平に配置され、それぞれＳＣ１〜ＳＣ９であり、下層の正面には１６枚のＬＣが垂直に配置され、それぞれＬＣ１７〜ＬＣ３２であり、上層の背面には１６枚のＬＣが垂直に配置され、それぞれＬＣ３３〜ＬＣ４８であり、中層の背面には９枚のＳＣが水平に配置され、それぞれＳＣ１０〜ＳＣ１８であり、下層の背面には１６枚のＬＣが垂直に配置され、それぞれＬＣ４９〜ＬＣ６４である。上層のＬＣおよび下層のＬＣは、同じ挿入方向であってもよく、反対となる挿入方向（例えば、上層が正立挿入であり、下層が倒立挿入である）であってもよい。本実施例は、反対となる挿入方向である。
【００７０】
本実施例において、第１タイプのシングルボードはＬＣであり、第２タイプのシングルボードはＳＣである。
【００７１】
図１４、図１５、図１６は、それぞれこの実施例のサブラックの正面図、側面図、および平面図である。ここで、正面図の図１４はＬＣ、ＳＣを示さず、ケーブルボックス１００と、ケーブルバックボードにおけるＬＣに対応するコネクタ領域１０２（破線枠）と、ケーブルバックボードにおけるＳＣに対応するコネクタ領域１０５（破線枠）とを示している。ケーブルバックボードは１６個の垂直なケーブルボックス１００で構成される。各ケーブルボックス１００は、上下層の正面および背面の合計４つのＬＣに接続され、各ＬＣに９つの電気コネクタ１１１があり、各ケーブルボックスは、正面および背面の全てのＳＣに接続され、各ＳＣと１つの電気コネクタ１１２が接続されている。一方、各ＳＣは、１６個の電気コネクタにより全ての１６個のケーブルボックス１００に接続されている。
【００７２】
側面図の図１５において、１つの上層の正面のＬＣ２１０は、その上の９つの電気コネクタにより１つのケーブルボックス１００の９つの電気コネクタに接続され、１つの上層の背面のＬＣ２１０は、その上の９つの電気コネクタにより１つのケーブルボックス１００の９つの電気コネクタに接続され、１つの下層の正面のＬＣ２１０は、その上の９つの電気コネクタにより１つのケーブルボックス１００の９つの電気コネクタに接続され、１つの下層の背面のＬＣ２１０は、その上の９つの電気コネクタにより１つのケーブルボックス１００の９つの電気コネクタに接続され、中層の正面のＳＣ２２０は、その上の電気コネクタによりケーブルボックス１００の１つの電気コネクタに接続され、１つの中層の背面のＳＣ２２０は、その上の電気コネクタにより１つのケーブルボックス１００の１つの電気コネクタに接続されている。且つ、ケーブルボックス１００には、９つのケーブルアセンブリ１３０が備えられ、各ケーブルアセンブリ１３０は、１つの上層の正面のＬＣの電気コネクタ、１つの下層の正面のＬＣの電気コネクタ、１つの上層の背面のＬＣの電気コネクタ、１つの下層の背面のＬＣの電気コネクタ、１つの中層の正面のＳＣの電気コネクタ、および１つの中層の背面のＳＣの電気コネクタに接続され、すなわち、各アセンブリは、４つのＬＣの電気コネクタと、２つのＳＣの電気コネクタとを備え、そして、ケーブルを用いて４つのＬＣの電気コネクタと２つのＳＣの電気コネクタとをそれぞれ交差接続する。９つのアセンブリは、全ての４つのＬＣにそれぞれ対応する９つの電気コネクタと１８個のＳＣにおける対応する１８個の電気コネクタとを接続することができる。各ＳＣに対応するケーブルボックス内の電気コネクタは、いずれもケーブルを介して４つのＬＣに対応するケーブルボックス内のコネクタに接続されている。それと同時に、ケーブルボックスにおいて、対応するＬＣの電気コネクタ間および対応するＳＣにおける電気コネクタ間は等間隔に配列することができ、ＳＣ１、ＳＣ１０に対応する電気コネクタおよびＬＣにおける対応する１つ目の電気コネクタを１つのアセンブリとして優先的に選択することができ、以降は同様にし、このように、９つのケーブルアセンブリは、ケーブルアセンブリの加工難易度を大きく低減し、ケーブルバックボードのコストを低減するように、同じアセンブリに作製することができる。
【００７３】
平面図の図１６において、１６個のケーブルボックス１００を備え、各ケーブルボックスには、ＬＣに接続される電気コネクタと、ＳＣに接続される電気コネクタとが備えられ、両者が平面図で重なり、電気コネクタ１１０として表され、それにドッキングされた電気コネクタは２３０であり、正面は、上層の正面のＬＣ（実線で描画した２１０）、正面のＳＣ（破線で描画した２２０）、および下層の正面のＬＣ（破線で灰色充填した２１０）における電気コネクタであり、背面は、上層の背面のＬＣ（実線で描画した２１０）、背面のＳＣ（破線で描画した２２０）、および下層の背面のＬＣ（破線で灰色充填した２１０）における電気コネクタである。
【００７４】
本実施例は、片面の２層のサブラック（１６個のＬＣが縦挿され、６つのＳＣが横挿されている）であり、１つのケーブルボックスが２列の縦挿ボードにドッキングされている。上層には１６枚のＬＣが垂直に配置され、それぞれＬＣ１〜ＬＣ１６であり、下層には６枚のＳＣが水平に配置され、それぞれＳＣ１〜ＳＣ６である。
【００７５】
本実施例において、第１タイプのシングルボードはＬＣであり、第２タイプのシングルボードはＳＣである。
【００７６】
図１７、図１８、図１９は、それぞれこの適用実施例のサブラックの正面図、側面図、および平面図である。ここで、正面図の図１７はケーブルバックボードを示し、８つのケーブルボックス１００を備え、各ケーブルボックスが２列の縦挿されたＬＣに対応する。一方、ＬＣおよびＳＣについては、ケーブルバックボードにおけるＬＣに対応するコネクタ領域１０２（破線枠）、およびケーブルバックボードにおけるＳＣに対応するコネクタ領域１０５（破線枠）のみを示す。ケーブルバックボードは８つの垂直なケーブルボックスで構成される。各ケーブルボックスが２つのＬＣに接続され、各ＬＣと６つの電気コネクタが接続され、各ケーブルボックスが全てのＳＣに接続され、各ＳＣと１つの電気コネクタが接続されている。一方、各ＳＣは、その上の８つの電気コネクタにより全ての８つのケーブルボックスに接続されている。
【００７７】
側面図の図１８において、１つのＬＣ２１０は、その上の６つの電気コネクタ２１１により１つのケーブルボックス１００の６つの電気コネクタ１１１に接続され、ＳＣ２２０は、その上の電気コネクタ２２１によりケーブルボックスの１つの電気コネクタ１１２に接続されている。且つ、１つのケーブルボックスには６つのケーブルアセンブリ１３０が備えられ、各ケーブルアセンブリが２つのＬＣの電気コネクタおよび１つのＳＣの電気コネクタに接続されると、６つのケーブルアセンブリは、全ての２つのＬＣに対応する１２つの電気コネクタおよび６つのＳＣにおける対応する６つの電気コネクタを接続することができる。それと同時に、６つのＬＣに対応する電気コネクタおよびＳＣにおける対応する６つの電気コネクタは等間隔に配列することができ、このように、６つのケーブルアセンブリは、ケーブルアセンブリの加工難易度を大きく低減し、ケーブルバックボードのコストを低減するように、同じアセンブリに作製することができる。
【００７８】
平面図の図１９において、ケーブルボックス１００を備え、各ケーブルボックスには、ＬＣに接続される電気コネクタ１１１およびＳＣに接続される電気コネクタ１１２が備えられ、対応するＬＣの電気コネクタは２２１であり、ＳＣの電気コネクタは２２１である。
【００７９】
１つのケーブルボックスが２列の縦挿ボードにドッキングされるため、１つのケーブルボックスには２列の電気コネクタがあり、従って、ケーブルボックスボックス本体全体は、非規則的な直方体構造であり、電気コネクタを取り付けるために、ケーブルボックスは両側へ１つの構造部材をそれぞれ伸び出す。
【００８０】
本実施例において、１つのケーブルボックスが２列の縦挿ボードにドッキングされるため、１つのケーブルボックスには、２列の電気コネクタ、すなわち、図１７における１１１に対応する２列のＬＣボードにそれぞれドッキングされる２つの電気コネクタが設けられ、そして、図１７における１１２に対応するＳＣにドッキングされる１つの電気コネクタが必要となる。各ＬＣボードに対応する電気コネクタとＳＣに対応する電気コネクタとの間は、複数本のケーブルを介して接続され、すなわち、ケーブルを用いて２つのＬＣの電気コネクタと１つのＳＣの電気コネクタとをそれぞれ接続する。
【００８１】
このケーブルアセンブリを固定できるようにするために、且つ、ケーブルバックボードを組み立てるために、このケーブルボックスのボックス本体は、内部が空きであり、高速ケーブルを配置することができる。ケーブルを配置するボックス本体の部分は縦挿ボードの位置に対応しないため、その挿着面に直接孔を開けて縦挿ボードのコネクタを固定することができない。本適用例は、ケーブルを配置するボックス本体の両側に電気コネクタを配置する１つの直方体を追加し、この直方体は、ケーブルを配置するボックス本体に接続され、且つケーブルが貫通できるようにその接触面に開孔がある一方、縦挿ボードとの挿着面に直接孔を開けて縦挿ボードのコネクタ１１１を固定する。且つ、ケーブルボックス体に直接孔を開けて横挿ボードのコネクタ１１２を固定する。
【００８２】
以上から分かるように、本実施例のケーブルバックボードにおいて、各ケーブルボックスが２列の縦挿ボードにドッキングされ、合計８つのケーブルボックスが必要となるが、いくつかの実施例において、１６個のケーブルボックスが必要となり、このように、ケーブルボックスの数を減少することにより、横挿ボード層の各ケーブルボックス間の空隙幅を増加することができ、横挿ボード層の前後通風放熱に寄与する。
【００８３】
このように、ケーブルバックボードにより、サブラックの内部の各シングルボード間の高速電気信号間の相互接続を実現することができ、サブラックのスイッチ容量を効果的に向上させる。全ての実施例において、高速トラフィック信号間の相互接続のみを説明し、低速信号、電源の相互接続については記載されていない。低速信号および電源等は、ケーブルまたは従来のＰＣＢを用いてサブラック内の各シングルボードの周辺で接続することができる。
【００８４】
本願に開示された実施形態は以上のとおりであるが、前記内容は本願を理解しやすいために採用した実施形態に過ぎず、本願を限定するものではない。当業者は、本願に開示された精神および範囲から逸脱しない前提で、実施の形態及び詳細において任意の修正及び変更を行うことができるが、本願の特許請求の範囲は、添付の特許請求の範囲により規定された範囲に準拠しなければならない。
【符号の説明】
【００８５】
１００    ケーブルボックス
２００    構造固定部材
２０１    ネジ
１１０    電気コネクタ（ケーブルボックス／ケーブルアセンブリに位置する）
１１１    第１タイプの電気コネクタ（ケーブルボックス／ケーブルアセンブリに位置する）
１１２    第２タイプの電気コネクタ（ケーブルボックス／ケーブルアセンブリに位置する）
１１１１    正面の上層に位置する第１タイプの電気コネクタ（ケーブルボックス／ケーブルアセンブリに位置する）
１１１２    正面の下層に位置する第１タイプの電気コネクタ（ケーブルボックス／ケーブルアセンブリに位置する）
１１１３    背面の上層に位置する第１タイプの電気コネクタ（ケーブルボックス／ケーブルアセンブリに位置する）
１１１４    背面の下層に位置する第１タイプの電気コネクタ（ケーブルボックス／ケーブルアセンブリに位置する）
１１２１    正面に位置する第２タイプの電気コネクタ（ケーブルボックス／ケーブルアセンブリに位置する）
１１２２    背面に位置する第２タイプの電気コネクタ（ケーブルボックス／ケーブルアセンブリに位置する）
１２０    ボックス本体
１３０    ケーブルアセンブリ
１４０    ケーブル
１５０    構造部材
１０２    ケーブルバックボードにおけるＬＣに対応する電気コネクタ領域
１０５    ケーブルバックボードにおけるＳＣに対応する電気コネクタ領域
２１０    ＬＣ
２１１    電気コネクタ（ＬＣに位置する）
２２０    ＳＣ
２２１    電気コネクタ（ＳＣに位置する）
２３０    電気コネクタ（シングルボードに位置する）
【図１】
2021508126.tif 000003
【図２】
2021508126.tif 000004
【図３】
2021508126.tif 000005
【図４】
2021508126.tif 000006
【図５】
2021508126.tif 000007
【図６】
2021508126.tif 000008
【図７】
2021508126.tif 000009
【図８】
2021508126.tif 000010
【図９】
2021508126.tif 000011
【図１０】
2021508126.tif 000012
【図１１】
2021508126.tif 000013
【図１２】
2021508126.tif 000014
【図１３】
2021508126.tif 000015
【図１４】
2021508126.tif 000016
【図１５】
2021508126.tif 000017
【図１６】
2021508126.tif 000018
【図１７】
2021508126.tif 000019
【図１８】
2021508126.tif 000020
【図１９】
2021508126.tif 000021
【手続補正書】
【提出日】令和2年8月14日(2020.8.14)
【手続補正１】
【補正対象書類名】明細書
【補正対象項目名】００４４
【補正方法】変更
【補正の内容】
【００４４】
本願のいくつかの実施例において、各ケーブルボックス１００はｎ個のケーブルアセンブリ１３０を備える。
【手続補正２】
【補正対象書類名】明細書
【補正対象項目名】００７８
【補正方法】変更
【補正の内容】
【００７８】
平面図の図１９において、ケーブルボックス１００を備え、各ケーブルボックスには、ＬＣに接続される電気コネクタ１１１およびＳＣに接続される電気コネクタ１１２が備えられ、対応するＬＣの電気コネクタは２１１であり、ＳＣの電気コネクタは２２１である。 
【国際調査報告】
2021508126.tif 000022
2021508126.tif 000023
2021508126.tif 000024
2021508126.tif 000025